(57)【要約】【課題】濃度検知センサや温湿度センサを設けることなく、像担持体の電位のバラツキを安価に抑える。【解決手段】共有高圧トランス２１０により帯電ローラ１０２に電圧を印加したときに、転写電流検知回路部２１４により転写ローラ１０８に流れる電流を検知することにより、帯電ローラ１０２と感光ドラム１０１との間で放電が開始したことを判断し、放電が開始したと判断したときの放電開始電圧値にバイアス値ΔＰＷＭを加算して帯電ローラ１０２に印加するよう共有高圧トランス２１０を制御するＣＰＵ１１３を備え、ＣＰＵ１１３は、転写電流検知回路部２１４により検知した転写ローラ１０８に流れる電流値が２．５μＡとなるように転写正高圧トランス２１１による転写ローラ１０８への印加を制御し（Ａ１６０３〜Ａ１６０７）、２．５μＡになったときの電圧値に基づいて（Ａ１６０８）、放電が開始することを判断する（Ａ１６１０〜Ａ１６１６）。【選択図】図７
2011100015.tif 000002
【特許請求の範囲】
【請求項１】
帯電手段により像担持体を一様に帯電し、前記帯電手段により帯電された前記像担持体上に露光手段により静電潜像を形成し、前記露光手段により形成された前記静電潜像を現像剤により現像して現像剤像とし、前記像担持体上の前記現像剤像を転写手段により記録媒体に転写する画像形成装置であって、
前記帯電手段及び前記転写手段に電圧を印加する第一印加手段と、
前記転写手段に前記第一印加手段で印加される電圧とは逆極性の電圧を印加する第二印加手段と、
前記転写手段に流れる電流を検知する検知手段と、
前記第一印加手段により前記帯電手段に電圧を印加したときに、前記検知手段により前記転写手段に流れる電流を検知することにより、前記帯電手段と前記像担持体との間で放電が開始したことを判断し、放電が開始したと判断したときの前記第一印加手段により印加される電圧値である放電開始電圧値に所定の電圧値を加算して前記帯電手段に印加するよう前記第一印加手段を制御する制御手段と、を備え、
前記制御手段は、前記検知手段により検知した前記転写手段に流れる電流値が所定の電流値となるように前記第二印加手段による前記転写手段への前記逆極性の電圧の印加を制御し、前記所定の電流値になったときの前記逆極性の電圧値に基づいて、前記放電が開始することを判断することを特徴とする画像形成装置。
【請求項２】
前記制御手段は、前記検知手段により検知した前記転写手段に流れる電流が所定の電流値となるように前記第二印加手段による前記転写手段への前記逆極性の電圧の印加を制御し、前記所定の電流値になったときの前記逆極性の電圧値に基づいて、前記放電開始電圧値に加算する前記所定の電圧値を変更することを特徴とする請求項１に記載の画像形成装置。
【発明の詳細な説明】
【技術分野】
【０００１】
本発明は、例えば電子写真複写機、電子写真プリンタ（例えば、ＬＥＤプリンタ、レーザビームプリンタ等）及び電子写真ファクシミリ装置等を含む電子写真方式の画像形成装置に関する。特に、帯電部材を介し被帯電体に帯電させる帯電装置に関する。
【背景技術】
【０００２】
図１０（ａ）に画像形成装置における従来の帯電バイアス回路の概略構成を示す。帯電ＤＣバイアスの回路部（以下、帯電バイアス印加回路部）１２０１は、電圧設定回路部１２０２、トランス駆動回路部１２０３、高圧トランス部１２０４、フィードバック回路部１２０５から構成される。電圧設定回路部１２０２は、入力されたＰＷＭ信号に応じて設定値を変えることができる。トランス駆動回路部１２０３は高圧トランス部１２０４を駆動する。フィードバック回路部１２０５は、帯電体（負荷）（帯電ローラ１２０６）に印加される電圧値を抵抗Ｒ１２０１で検出し、アナログ値として電圧設定回路部１２０２に伝送する。電圧設定回路部１２０２は、この値をもとに帯電部材である帯電ローラ１２０６に一定の電圧が印加されるように制御する。このような構成で、一連の制御を行うことで、帯電ローラ１２０６に一定の電圧値を印加することが可能となる（例えば、特許文献１参照）。
【先行技術文献】
【特許文献】
【０００３】
【特許文献１】特開平０６−００３９３２号公報
【発明の概要】
【発明が解決しようとする課題】
【０００４】
しかしながら、帯電体（帯電ローラ）と帯電体（像担持体）の間で放電が開始する電圧は、環境温湿度、感光ドラムの膜厚（以下、単にドラム厚という）等で変化する。そのため、図１０（ｂ）に示すように、所定の電圧（制御ＰＷＭ値）を印加しても、環境温湿度（低温低湿（Ｌ／Ｌ）、高温高湿（Ｈ／Ｈ）等）によりドラム電位のバラツキが発生し、これが画像濃度のバラツキ要因となっていた。そして画像濃度のバラツキの補正を行うために、濃度検知センサや温湿度センサを設ける必要があった。
【０００５】
本発明は、このような状況のもとでなされたもので、濃度検知センサや温湿度センサを設けることなく、像担持体の電位のバラツキを安価な構成で抑えることを目的とする。
【課題を解決するための手段】
【０００６】
前記課題を解決するために、本発明は以下の構成を備える。
【０００７】
（１）帯電手段により像担持体を一様に帯電し、前記帯電手段により帯電された前記像担持体上に露光手段により静電潜像を形成し、前記露光手段により形成された前記静電潜像を現像剤により現像して現像剤像とし、前記像担持体上の前記現像剤像を転写手段により記録媒体に転写する画像形成装置であって、前記帯電手段及び前記転写手段に電圧を印加する第一印加手段と、前記転写手段に前記第一印加手段で印加される電圧とは逆極性の電圧を印加する第二印加手段と、前記転写手段に流れる電流を検知する検知手段と、前記第一印加手段により前記帯電手段に電圧を印加したときに、前記検知手段により前記転写手段に流れる電流を検知することにより、前記帯電手段と前記像担持体との間で放電が開始したことを判断し、放電が開始したと判断したときの前記第一印加手段により印加される電圧値である放電開始電圧値に所定の電圧値を加算して前記帯電手段に印加するよう前記第一印加手段を制御する制御手段と、を備え、前記制御手段は、前記検知手段により検知した前記転写手段に流れる電流値が所定の電流値となるように前記第二印加手段による前記転写手段への前記逆極性の電圧の印加を制御し、前記所定の電流値になったときの前記逆極性の電圧値に基づいて、前記放電が開始することを判断することを特徴とする画像形成装置。
【発明の効果】
【０００８】
本発明によれば、濃度検知センサや温湿度センサを設けることなく、像担持体の電位のバラツキを安価な構成で抑えることができる。
【図面の簡単な説明】
【０００９】
【図１】実施例１〜３の画像形成装置本体の概略断面図
【図２】実施例１〜３の画像形成装置本体のブロック図、カートリッジの概略図
【図３】実施例１〜３の帯電バイアス＋転写負印加回路図
【図４】実施例１の帯電バイアス印加時のＶ−Ｉ特性図、放電開始電圧検出後のドラム電位補正概略図
【図５】実施例１のドラム電位を一定とするための処理のフローチャート
【図６】実施例２、３の転写ローラＶ−Ｉ特性グラフ図、帯電バイアス印加時のＶ−Ｉ特性図
【図７】実施例２のドラム電位を一定とするための処理のフローチャート
【図８】実施例３の放電開始電圧検出後のドラム電位補正概略図
【図９】実施例３のドラム電位を一定とするための処理のフローチャート
【図１０】従来例の帯電バイアス回路図、ドラム電位のバラツキを説明する図
【発明を実施するための形態】
【００１０】
以下、本発明の好適な実施の形態について添付図面を参照して説明する。
【実施例１】
【００１１】
実施例１の画像形成装置は、１つの高圧トランスから帯電バイアスと転写クリーニングバイアス（以下、転写負と記載）に高圧出力を印加する構成である。帯電バイアスは所望の電圧を印加できる定電圧電源を備え、帯電バイアスを除々に印加したときの転写負に流れる電流値を、転写バイアス（以下、転写正と記載）に設けられている電流検知手段によりモニタする。モニタした電流値が所望の値になったときの定電圧電源の出力電圧を検出し、検出した電圧に基づき感光ドラム上（像担持体上）の電位（以下、ドラム電位という）を一定に制御する。
【００１２】
［画像形成装置の構成］
画像形成装置の一例であるレーザビームプリンタについて図１を用いて説明する。光源としての半導体レーザ１０３からレーザビーム１０６が発射され、レーザビーム１０６はスキャナモータ１０４により回転する回転多面鏡１０５によって像担持体である感光ドラム１０１上を走査する。交換可能なカートリッジ１２２は、感光ドラム１０１上を一様に帯電するための帯電ローラ１０２、露光により感光ドラム１０１上に形成された静電潜像を現像剤であるトナーにより現像するための現像器１０７を有する。転写ローラ１０８は現像器１０７の現像ローラ１２４により現像された現像剤像であるトナー像を所定の記録媒体である記録用紙に転写する。定着器１０９は記録用紙に転写されたトナーを熱により融着し定着する。記録用紙は手差しトレイ１１６にセットされ、記録用紙給紙ローラ１１０は１回転することにより手差しトレイ１１６から記録用紙を給紙し搬送路に送り出す。トップセンサ１１４は給紙された記録用紙に対し、感光ドラム１０１への画像書き込み（記録／印字）と記録用紙搬送の同期を取るとともに、給紙された記録用紙の搬送方向の長さを測定する。排紙ローラ１１１は定着後の記録用紙を排紙トレイ１１７へ排出する。排紙センサ１１５は定着後の用紙の有無を検出する。エンジンコントローラ１１２（エンジン制御部）はＣＰＵ１１３を備え、上記のような構成部を制御する。すなわち、エンジンコントローラ１１２は、レーザビームプリンタエンジンの各部を制御し、プリンタコントローラ１１８の指示にしたがってプリント動作を制御するとともに、プリンタコントローラ１１８へプリンタ内部情報を報知する。プリンタコントローラ１１８は不図示のホストコンピュータ等の外部機器から送られる画像コードデータを、プリンタの印字に必要なビットデータに展開するとともに、レーザビームプリンタの内部情報を読み取りそれを表示する。
【００１３】
図２（ａ）はエンジンコントローラ１１２とプリンタコントローラ１１８を含むレーザビームプリンタ全体の構成を示すブロック図である。プリンタ本体２０１の構成は次のとおりである。高圧制御部２０３は帯電、現像、転写等各工程における各高圧出力制御をエンジンコントローラ１１２の指示にしたがって行う。光学系制御部２０４はスキャナモータ１０４の駆動／停止、半導体レーザ１０３の点灯をエンジンコントローラ１１２の指示にしたがって制御する。定着器温度制御部２００は定着温度検知サーミスタ１２１からの温度情報に応じて、定着ヒータ１２０への通電の駆動／停止を、エンジンコントローラ１１２の指示にしたがって行う。センサ入力部２０５は、トップセンサ１１４、排紙センサ１１５の紙有無状態をエンジンコントローラ１１２へ報知する。用紙搬送制御部２０２はエンジンコントローラ１１２の指示にしたがい、記録用紙搬送のためにモータ／ローラ等の駆動／停止を行い、記録用紙給紙ローラ１１０、定着器１０９のローラ、排紙ローラ１１１の駆動／停止の制御を行う。
【００１４】
図２（ｂ）はカートリッジ１２２を構成する部材の概略図である。帯電バイアス＋転写負印加回路１２５は帯電ローラ１０２と転写ローラ１０８に負極性の電圧を印加する。転写正印加回路１２６は転写ローラ１０８に正極性の電圧を印加する。
【００１５】
［画像形成装置の回路図］
図３に本実施例の帯電バイアス回路、転写負回路、転写正回路の概略構成を示す。電圧設定回路部２１６は共有＿ＰＷＭ信号２０７に応じて帯電バイアス値、転写負バイアス値を変えることができる。共有トランス駆動回路部２０９は共有高圧トランス２１０（第一印加手段）を駆動する。共有高圧トランス２１０には、帯電整流回路部２１２と転写負整流回路部２１３が接続され、それぞれ出力電圧値Ｖｏｕｔ１の帯電出力と出力電圧値Ｖｏｕｔ２の転写負出力を帯電ローラ１０２及び転写ローラ１０８に供給する。フィードバック回路部２１７は抵抗Ｒ２０１を介して出力電圧値Ｖｏｕｔ１をモニタし、共有＿ＰＷＭ信号２０７の設定に応じた出力電圧値Ｖｏｕｔ１になるようにフィードバックを行うための回路である。そのときの転写負出力の出力電圧値Ｖｏｕｔ２には、共有＿ＰＷＭ信号２０７の設定に応じた出力電圧値Ｖｏｕｔ１になるために必要な共有高圧トランス２１０の昇圧電圧に応じた電圧値が出力される。転写電流検知回路部２１４（検知手段）は、転写ローラ１０８に流れる電流Ｉ２０３を検出し、Ｊ２０１からアナログ値としてエンジンコントローラ１１２内のＣＰＵ１１３に伝送する。なお、Ｉ２０３は感光ドラム１０１と帯電ローラ１０２間で放電が開始するまでの電流、Ｉ２０４は感光ドラム１０１と帯電ローラ１０２間で放電が開始した後の電流である。また、転写正トランス駆動回路部２０８は転写正＿ＰＷＭ信号２０６に応じて転写正高圧トランス２１１（第二印加手段）を駆動し、転写正高圧トランスには転写正整流回路部２１５が接続される。
【００１６】
［放電開始電圧値の検出］
感光ドラム１０１と帯電ローラ１０２間で放電が開始するまでは、感光ドラム１０１と帯電ローラ１０２間は絶縁されている。そのため放電が開始されるまでは、共有高圧トランス２１０の負荷は抵抗Ｒ２０１のみである。そのため抵抗Ｒ２０１に応じた昇圧電圧が、共有高圧トランス２１０から帯電整流回路部２１２に発生する。その時に転写負整流回路部２１３にも共有高圧トランス２１０から抵抗Ｒ２０１に応じた昇圧電圧が出力され、検出抵抗Ｒ２０２には電流Ｉ２０３が流れる。
【００１７】
感光ドラム１０１と帯電ローラ１０２間で放電が開始されると、共有高圧トランス２１０の負荷は抵抗Ｒ２０１と帯電ローラ１０２が並列接続された値となる。そして、共有高圧トランス２１０の負荷は「Ｒ２０１＞Ｒ２０１／／帯電ローラ１０２」（／／は並列接続された負荷の合成抵抗を示す）になるため、共有高圧トランス２１０から帯電整流回路部２１２に出力する昇圧電圧が大きくなる。これに伴って、共有高圧トランス２１０から転写負整流回路部２１３に出力する昇圧電圧も大きくなり、検出抵抗Ｒ２０２には電流Ｉ２０４（Ｉ２０４＞Ｉ２０３）が流れる。つまり図４（ａ）の線〔１〕に示すように、放電が開始されるまでは、抵抗Ｒ２０１の負荷に応じた昇圧電圧が転写負整流回路部２１３に出力され、検出抵抗Ｒ２０２には電流Ｉ２０３が流れる。しかし、感光ドラム１０１と帯電ローラ１０２間で放電が開始されると、「Ｒ２０１／／帯電ローラ１０２」の負荷に応じた昇圧電圧が転写負整流回路部２１３に出力され、検出抵抗Ｒ２０２には電流Ｉ２０４が流れる。つまり、図４（ａ）の線〔２〕に示すように放電が開始した時点で分岐点をもった曲線となる。このことから、線〔２〕から線〔１〕を引いたΔ値を算出することで、Δ値が所望の電流値になった時点で算出した電圧を放電が開始した電圧（以下、放電開始電圧）と判断する。このようにして環境に応じた放電開始電圧（Ｖ１（環境Ｈ／Ｈ），Ｖ２（環境Ｎ／Ｎ），Ｖ３（環境Ｌ／Ｌ））を検出できた後は、図４（ｂ）に示すように所定の電圧値（ΔＰＷＭ）を放電開始電圧に加算する。これにより、環境によらずドラム電位を一定にすることができる。
【００１８】
［ドラム電位を一定とするための処理］
本実施例の制御を説明するフローチャートを図５に示す。エンジンコントローラ１１２はプリントコマンドを受信すると（Ａ５０１）、前回転動作に入り感光ドラム１０１と帯電ローラ１０２が回転を開始する（Ａ５０２）。その後電圧設定回路部２１６はＰＷＭ〔１〕で帯電ローラ１０２に所定バイアスを印加する（Ａ５０３）。転写電流検知回路部２１４は転写ローラ１０８に流れる電流Ｉ２０３を検知し、検知した電流値をＪ２０１からアナログ値としてＣＰＵ１１３に伝送する（Ａ５０４）。ＣＰＵ１１３は転写電流検知回路部２１４により検知した電流値から図４（ａ）の線〔２〕から線〔１〕を引いたΔ値に相当する値を算出する（以下、算出したこの値を算出値という）（Ａ５０５）。ＣＰＵ１１３は算出値とΔ値を比較し、Δ値の公差内（Δ公差小＜算出値＜Δ公差大）となっているか否かの判断を行う（Ａ５０６）。ＣＰＵ１１３は算出値がΔ値の公差内よりも大きいと判断した場合には、放電開始電圧はより低いと判断しバイアス設定ＰＷＭ値を低くして（Ａ５０７）、Ａ５０４の処理に戻る。ＣＰＵ１１３は算出値がΔ値の公差内よりも小さいと判断した場合には、放電開始電圧はより高いと判断しバイアス設定ＰＷＭ値を高くして（Ａ５０８）、Ａ５０４の処理に戻る。ＣＰＵ１１３はこの制御を行い、算出値がΔ値の公差内となった場合に、そのときのバイアス設定値を放電開始電圧ＰＷＭ〔２〕と設定する（Ａ５０９）。ＣＰＵ１１３は設定した放電開始電圧（ＰＷＭ〔２〕）にドラム電位に相当するバイアス値（ΔＰＷＭ）を加算し（Ａ５１０）、プリント時のバイアス値（ＰＷＭ〔３〕＝ＰＷＭ〔２〕＋ΔＰＷＭ）を決定する（Ａ５１１）。この設定終了後、プリントが開始される（Ａ５１２）。
【００１９】
以上のように放電開始電圧を検出し、ドラム電位に相当するバイアス値を放電開始電圧に加算することで、環境変動が生じても一定のドラム電位を印加できる。すなわち、本実施例によれば、濃度検知センサや温湿度センサ等を設けることなく、ドラム電位のバラツキを安価な構成で抑えることができる。なお、帯電手段と転写負手段に１つの高圧トランスから高圧出力を供給する構成について述べたが、同様の電流検出が可能な構成であれば、他の同極性の高圧手段を共通化できる等、本実施例に限定されるものではない。
【実施例２】
【００２０】
実施例２では、転写ローラの抵抗値に応じて、放電開始電圧を判断する帯電バイアス印加時の電流値を変更する。本実施例の説明で実施例１と重複する箇所については説明を省略し同じ符号を用いる。
【００２１】
図３において、帯電バイアスとは逆極性の転写正バイアス印加時は、転写ローラ１０８に電流Ｉ２０５が流れる。転写電流検知回路部２１４で、転写ローラ１０８に流れる電流Ｉ２０５を検出して、Ｊ２０１からアナログ値としてエンジンコントローラ１１２内のＣＰＵ１１３に伝送する。ＣＰＵ１１３は、これにより転写ローラ１０８に流れる電流Ｉ２０５を検知して、転写ローラ１０８に流れる電流値が所望の値になるように転写正バイアスレベルを制御する。
【００２２】
図６（ａ）は転写ローラ１０８を２．５ｕＡで定電流制御したときの環境に応じたＶ−Ｉ特性を示す図である。転写ローラ１０８を定電流制御したときの印加電圧が、高温高湿環境（例えば３５℃／９０％（Ｈ／Ｈ））から低温低湿環境（例えば５℃／１０％（Ｌ／Ｌ））に変わることで５００Ｖ〜３０００Ｖの間で変化している。すなわち、図６（ａ）は転写ローラ１０８の抵抗値の環境変化を示す。また、図中の転写正バイアス設定値Ａは、転写正バイアスレベルの設定値であり、Ｌ／Ｌ環境とＮ／Ｎ（例えば２０℃／５０％）環境を識別するためのしきい値を示す。同様に図中の転写正バイアス設定値Ｂは、転写正バイアスレベルの設定値であり、Ｎ／Ｎ環境とＨ／Ｈ環境を識別するためのしきい値を示す。
【００２３】
図６（ｂ）に各環境における帯電バイアス印加時のＶ−Ｉ特性図を示す。図中の線〔３〕、線〔５〕、線〔７〕は各環境における放電が開始されるまでのＶ−Ｉ特性を表す線である。図中の線〔４〕、線〔６〕、線〔８〕は各環境における放電が開始されてからのＶ−Ｉ特性を表す線である。すなわち、線〔４〕から線〔３〕を引いたΔ値を算出することで、Δ値が所望の電流値Δ１になった時点をＬ／Ｌ環境において放電が開始した電圧と判断する。また、線〔６〕から線〔５〕を引いたΔ値を算出することで、Δ値が所望の電流値Δ２になった時点をＮ／Ｎ環境において放電が開始した電圧と判断する。また、線〔８〕から線〔７〕を引いたΔ値を算出することで、Δ値が所望の電流値Δ３になった時点をＨ／Ｈ環境において放電が開始した電圧と判断する。ここで、放電が開始されるまでの直線と、放電が開始されてからの直線を結んだ分岐点からの放電開始後の直線の傾きは各環境により異なる。従って、各環境において算出したΔ１とΔ２及びΔ３は異なる値となる。
【００２４】
図７は本実施例の制御を説明するフローチャートである。エンジンコントローラ１１２はプリントコマンドを受信すると（Ａ１６０１）、前回転動作に入り感光ドラム１０１や帯電ローラ１０２が回転を開始する（Ａ１６０２）。転写正トランス駆動回路部２０８は転写ローラ１０８にＰＷＭ〔３〕で転写正バイアスを印加し（Ａ１６０３）、転写電流検知回路部２１４は転写ローラ１０８に流れる電流Ｉ２０５を検知して、Ｊ２０１からそのアナログ値をＣＰＵ１１３に伝送する。これによりＣＰＵ１１３は電流Ｉ２０５を検知する（Ａ１６０４）。ＣＰＵ１１３は転写電流検知回路部２１４により検知した検出値から電流値を算出し、その算出値が２．５μＡとなっているか否かの判断を行う（Ａ１６０５）。ＣＰＵ１１３が算出した電流値が２．５μＡより大きいと判断した場合には、転写正バイアス設定ＰＷＭ値（ＰＷＭ〔３〕）を低くして、Ａ１６０４の処理に戻る（Ａ１６０７）。ＣＰＵ１１３が算出した電流値が２．５μＡより小さいと判断した場合には、転写正バイアス設定ＰＷＭ値（ＰＷＭ〔３〕）を高くして、Ａ１６０４の処理に戻る（Ａ１６０６）。
【００２５】
Ａ１６０５でＣＰＵ１１３は算出した電流値が２．５μＡであると判断した場合には、Ａ１６０８の処理に進む。Ａ１６０８でＣＰＵ１１３は転写正バイアス設定値と図６（ａ）で説明したしきい値Ａ、Ｂとの値を比較することにより、環境応じたΔ値を設定する。すなわち、ＣＰＵ１１３は転写正バイアス設定値がしきい値Ａより大きい場合（図６（ａ）、Ｌ／Ｌ）はΔ＝Δ１、転写正バイアス設定値がしきい値Ａ以下でしきい値Ｂ以上の場合（図６（ａ）、Ｎ／Ｎ）はΔ＝Δ２とする。ＣＰＵ１１３は転写正バイアス設定値がしきい値Ｂより小さい場合（図６（ａ）、Ｈ／Ｈ）はΔ＝Δ３とする。転写正トランス駆動回路部２０８は転写正バイアスの印加を停止する（Ａ１６０９）。
【００２６】
共有トランス駆動回路部２０９はＰＷＭ〔１〕で所定バイアスを帯電ローラ１０２に印加する（Ａ１６１０）。なお、Ａ１６１１から１６１７までの処理は実施例１の図５のＡ５０４からＡ５１０までの処理と同じなので説明を省略する。なお、Ａ１６１３のΔ値は、Ａ１６０８で環境に応じて設定したΔ１、Δ２、Δ３のいずれかである。ＣＰＵ１１３はプリント時のバイアス値（ＰＷＭ〔４〕＝ＰＷＭ〔２〕＋ΔＰＷＭ）を決定する（Ａ１６１８）。この設定終了後、プリントを開始する（Ａ１６１９）。
【００２７】
本実施例によれば、転写ローラの抵抗値変動によるドラム電位のバラツキを防止でき、濃度検知センサや温湿度センサ等を設けることなく、ドラム電位のバラツキを安価な構成で抑えることができる。
【実施例３】
【００２８】
実施例３では、転写ローラの抵抗値に応じて、放電開始電圧に加算するＰＷＭ値を変更する。本実施例の説明で実施例２と重複する箇所については省略し、同じ符号を用いて説明する。
【００２９】
図８に本実施例の放電開始電圧検出後のドラム電位補正概略図を示す。各環境における放電開始電圧Ｖ１，Ｖ２，Ｖ３に加算するΔＰＷＭ〔３〕、ΔＰＷＭ〔２〕、ΔＰＷＭ〔１〕について示す。加算するΔＰＷＭの関係はΔＰＷＭ〔１〕＞ΔＰＷＭ〔２〕＞ΔＰＷＭ〔３〕である。
【００３０】
図９は本実施例の制御を説明するフローチャートである。Ａ１８０１からＡ１８１６までの処理は、実施例２の図７のＡ１６０１からＡ１６１６までの処理と同じなので説明を省略する。ＣＰＵ１１３は、放電開始電圧（ＰＷＭ〔２〕）に加算するドラム電位に相当するバイアス値（ΔＰＷＭ）を、Ａ１８０８で求めた転写ローラ１０８に流れる電流値を２．５μＡで制御したときの転写正バイアス設定値により決定する。ＣＰＵ１１３は、転写正バイアス設定値がしきい値Ａより大きい場合はΔＰＷＭ＝ΔＰＷＭ〔１〕、転写正バイアス設定値がしきい値Ａ以下でしきい値Ｂ以上の場合はΔＰＷＭ＝ΔＰＷＭ〔２〕と設定する。ＣＰＵ１１３は、転写正バイアス設定値がしきい値Ｂより小さい場合はΔＰＷＭ＝ΔＰＷＭ〔３〕に設定する（Ａ１８１７）。ＣＰＵ１１３はプリント時のバイアス値（ＰＷＭ〔４〕＝ＰＷＭ〔２〕＋ΔＰＷＭ）を決定する（Ａ１８１８）。この設定終了後、プリントが開始される（Ａ１８１９）。
【００３１】
本実施例によれば、転写ローラの抵抗値変動によるドラム電位のバラツキを防止でき、濃度検知センサや温湿度センサ等を設けることなく、ドラム電位のバラツキを安価な構成で抑えることができる。
【符号の説明】
【００３２】
１０２  帯電ローラ
１０８  転写ローラ
２１０  共有高圧トランス
２１１  転写正高圧トランス
２１４  転写電流検知回路部
【図１】
2011100015.tif 000003
【図２】
2011100015.tif 000004
【図３】
2011100015.tif 000005
【図４】
2011100015.tif 000006
【図５】
2011100015.tif 000007
【図６】
2011100015.tif 000008
【図７】
2011100015.tif 000009
【図８】
2011100015.tif 000010
【図９】
2011100015.tif 000011
【図１０】
2011100015.tif 000012